(57)【要約】【課題】清掃性を向上させ、グリル庫内またはグリル部庫内の調理物に埃などが付着するのを防ぎ、また本体内の制御回路を冷却するための吸気にグリル部から発生する水蒸気や油煙を含む熱風を吸い込まず、室内の空気そのものを使用することができること。【解決手段】貫通穴１０をグリル部６の開口部１３上方の範囲以外に設けることにより、グリル部６の開口部１３上方の範囲からは空気を吸気せず、したがってグリル部６の開口部１３上方の範囲には埃などが付着しにくく、グリル部６の扉の開閉時にグリル部６の庫内やグリル部６庫内の調理物に埃などが落下し付着するのを防ぐことができるものとなる。【選択図】図１
2010205573.tif 000002
【特許請求の範囲】
【請求項１】
被加熱物を載置する天板を有した本体と、前記本体内で前記天板下部に配置された加熱コイルと、前記加熱コイルに供給する高周波電流を制御する制御回路と、本体正面に凸な正面部と、前記本体内で前記正面部に扉を備えたグリル部と、前記本体内で前記正面部に配置された操作部と、前記操作部またはその周囲に設けた空気を前記本体内に吸い込む吸気口と、前記吸気口より吸い込んだ空気を前記本体内に送風する冷却手段と、前記冷却手段により送風した空気を本体内から排出する排気口と、前記本体の正面上方凹部の隙間に吸気口カバーとを備え、前記吸気口カバーは着脱可能で、貫通穴をグリル部の開口部上方の範囲以外に設けたことを特徴とする加熱調理器。
【請求項２】
吸気口カバーは貫通穴をグリル部の開口部上方の範囲には設けないことに代えて、貫通穴の開口率をグリル部の開口部上方の範囲は小さくした請求項１に記載の加熱調理器。
【請求項３】
吸気口カバーを分割し、吸気口の範囲のみ着脱可能にした請求項１または２に記載の加熱調理器。
【請求項４】
吸気口カバーの分割箇所を、グリル部の開口部上方の範囲以外に設けた請求項３に記載の加熱調理器。
【発明の詳細な説明】
【技術分野】
【０００１】
本発明は、加熱調理器に関するものである。
【背景技術】
【０００２】
従来、この種の加熱調理器としては、本体の正面上方凹部に設けられた吸気口から吸気し、本体の後方上面から排気する構成としている（例えば、特許文献１参照）。
【特許文献１】特開２００１−０７６８５７号公報
【発明の開示】
【発明が解決しようとする課題】
【０００３】
しかしながら、前記従来の構成では、吸気口が本体正面よりも奥まった正面上方凹部に設けられているため、付着した埃などの確認が困難であり、また埃などの清掃時には手などが届きにくく非常に清掃性の悪いものであった。また、除去せずそのまま放置しておいた埃などが、グリル部の扉の開閉時の振動によりグリル庫内に落下し、グリル庫内またはグリル部庫内の調理物に付着してしまうおそれがあった。また、グリルによる調理中はグリル部の扉閉時においてもグリル部上方の周囲温度は高く、その熱によって暖められた空気を本体内に吸い込むことにより、更にグリル部の扉開時には庫内から発生する水蒸気や油煙を含む熱風を本体内に吸い込むことにより、冷却性能が低下し、電気的な故障や劣化を生じる原因となるという課題を有していた。
【０００４】
本発明は、前記従来の課題を解決するもので、清掃性を向上させ、グリル庫内またはグリル部庫内の調理物に埃などが付着するのを防ぎ、また本体内の制御回路を冷却するための吸気にグリル部から発生する水蒸気や油煙を含む熱風を吸い込まず、室内の空気そのものを使用することができる加熱調理器を提供することを目的とする。
【課題を解決するための手段】
【０００５】
前記従来の課題を解決するために、本発明の加熱調理器は、加熱物を載置する天板を有した本体と、前記本体内で前記天板下部に配置された加熱コイルと、前記加熱コイルに供給する高周波電流を制御する制御回路と、本体正面に凸な正面部と、前記本体内で前記正面部に扉を備えたグリル部と、前記本体内で前記正面部に配置された操作部と、前記操作部またはその周囲に設けた空気を前記本体内に吸い込む吸気口と、前記吸気口より吸い込んだ空気を前記本体内に送風する冷却手段と、前記冷却手段により送風した空気を本体内から排出する排気口と、前記本体の正面上方凹部の隙間に吸気口カバーとを備え、前記吸気口カバーは着脱可能で、貫通穴をグリル部の開口部上方の範囲以外に設けたものである。
【０００６】
これによって、グリル部の開口部上方の範囲からは空気を吸気せず、したがってグリル部の開口部上方の範囲には埃などが付着しにくく、グリル部の扉の開閉時にグリル部の庫内やグリル部庫内の調理物に埃などが落下し付着するのを防ぐことができる。また、グリルによる調理中に、グリル部周辺の温められた空気や、庫内から発生する水蒸気や油煙を含む熱風を本体内に吸い込むことを低減でき、熱風による冷却性能の低下や、水蒸気や油煙による電気的な故障や劣化を防ぐことができる加熱調理器を提供することを目的とする。
【発明の効果】
【０００７】
本発明の加熱調理器は、グリル庫内またはグリル部庫内の調理物に埃などが落下し付着するのを防ぎ、かつ本体内の制御回路を冷却するための吸気にグリル部から発生する水蒸
気や油煙を含む熱風を吸い込まず、室内の空気そのものを使用することができる。
【発明を実施するための最良の形態】
【０００８】
第１の発明は、被加熱物を載置する天板を有した本体と、前記本体内で前記天板下部に配置された加熱コイルと、前記加熱コイルに供給する高周波電流を制御する制御回路と、本体正面に凸な正面部と、前記本体内で前記正面部に扉を備えたグリル部と、前記本体内で前記正面部に配置された操作部と、前記操作部またはその周囲に設けた空気を前記本体内に吸い込む吸気口と、前記吸気口より吸い込んだ空気を前記本体内に送風する冷却手段と、前記本体の正面上方凹部の隙間に吸気口カバーとを備え、前記吸気口カバーは、貫通穴をグリル部の開口部上方の範囲以外に設けたことにより、グリル部の開口部上方の範囲からは空気を吸気せず、グリル部の開口部上方の範囲に埃などが付着しにくく、グリル部の庫内や調理物に埃などが落下し付着するのを防ぐことができる。また、グリルによる調理中はグリル部の扉閉時においてもグリル部上方の周囲温度は高く、その熱によって暖められた空気を吸い込むことが低減でき、更に、扉開時には庫内から発生する水蒸気や油煙を含む熱風を本体内に吸い込むことも低減でき、熱風による冷却性能の低下や、水蒸気や油煙による電気的な故障や劣化を防ぐことができる。
【０００９】
第２の発明は、特に、第１の発明の吸気口カバーの貫通穴をグリル部の開口部上方の範囲には設けないことに代えて、貫通穴をグリル部の開口部上方の範囲にも設け、かつ貫通穴の開口率をグリル部の開口部上方の範囲は小さくしたとすることにより、吸気面積を確保しつつ、開口率が小さい箇所では風量が少ないため、埃などの付着率も低減され、グリル部の庫内や調理物に埃などが落下し付着するのを低減できる。また、グリルによる調理中はグリル部の扉閉時においてもグリル部上方の周囲温度は高く、その熱によって暖められた空気を吸い込むことが低減でき、更に、扉開時には庫内から発生する水蒸気や油煙を含む熱風を本体内に吸い込むことも低減でき、熱風による冷却性能の低下や、水蒸気や油煙による電気的な故障や劣化を低減することができる。
【００１０】
第３の発明は、特に、第１または第２の発明の吸気口カバーを分割し、吸気口の範囲のみ着脱可能にしたとすることにより、操作部側の吸気口の範囲の埃などの付着が多い箇所のみ吸気口カバーを取外すことができ、軽量かつコンパクトになり、清掃性が向上できる。
【００１１】
第４の発明は、特に、第３の発明の吸気口カバーの分割箇所をグリル部の開口部上方の範囲以外に設けたとすることにより、分割部の合わせ面の隙間に堆積する埃などによるグリル部の庫内やグリル部庫内の調理物への汚れを防ぐことができる。また、グリルによる調理中はグリル部の扉閉時においてもグリル部上方の周囲温度は高く、その熱によって暖められた空気を分割部の合わせ面の隙間から吸い込むことが低減でき、更に、扉開時には庫内から発生する水蒸気や油煙を含む熱風を分割部の合わせ面の隙間から本体内に吸い込むことも低減でき、熱風による冷却性能の低下や、水蒸気や油煙による電気的な故障や劣化を低減することができる。
【００１２】
以下、本発明の実施の形態について、図面を参照しながら説明する。なお、この実施の形態によって本発明が限定されるものではない。
【００１３】
（実施の形態１）
図１〜図３は、本発明の実施の形態１における加熱調理器を示すものである。
【００１４】
図に示すように、本実施の形態における加熱調理器は、鍋やフライパンなどの被加熱物３２を載置する天板２を天面に有した本体１と、この本体１内で天板２下部に配置された加熱コイル３などの電磁加熱手段と、加熱コイル３に流す高周波電流を制御する制御回路
８と、本体１内で正面部に扉を備えたグリル部６と、本体１の正面に配置された操作部５と、空気を本体１内に吸い込む吸気口１２と、吸気口１２より吸い込んだ空気を本体１内に送風する冷却手段７と、冷却手段７により送風した空気を本体１内から排出する排気口１１と、本体１の正面上方凹部３１に断面がコ字状の吸気口カバー９とを備え、吸気口カバー９は着脱可能であり、グリル部６の開口部１３上方の範囲以外の正面平面部に複数の貫通穴１０を設けた構成としている。また、吸気口カバー９に設けられた貫通穴１０の１つあたりの開口面積は、吸気口１２の１つあたりの開口面積よりも小さい。
【００１５】
本体１は、略直方体であり、その天面の天板２は耐熱ガラスで形成されている。天板２の下部の加熱コイル３は、左右に１対とそれらと三角形成す後方位置に配置してある。操作部５は、本体１の下部右側に本体１から前面方向に突出した形状で使用可能に設けてある。本体１の下部左側には魚を焼くグリル部６が備えてある。そして、冷却手段７は、本体１右側の操作部５の後方で本体１内部に配置されている。冷却手段７の後方には、制御回路８が上中下３段に収納されている構成となっている。
【００１６】
なお、図１および図３は、加熱調理器をキッチン１９に組み込んだ例を示しており、キッチン１９の前垂れ３０に、本体１前面の天板２と操作部５間に形成した凹部３１を嵌め込んで組み込んでいる。この例によらず、加熱調理器を調理置台に設置する、所謂、据え置き式であってもよいものである。
【００１７】
以上のように構成された加熱調理器について、以下その動作、作用を説明する。
【００１８】
天板２の上に調理物を入れた被加熱物３２を載置して、操作部５の操作により制御回路８を駆動し、加熱コイル３に通電する。これにより加熱コイル３が被加熱物３２を電磁誘導で加熱する。所望の加熱を終了すると操作部５を操作して加熱コイル３による被加熱物３２の誘導加熱を停止するものである。
【００１９】
加熱コイル３の駆動中は、制御回路８や加熱コイル３は発熱するので、冷却手段７を駆動して送風することとなる。冷却手段７を駆動すると、冷却手段７によって室内の空気を前垂れ３０と操作部５の間にある凹部３１に設けられた吸気口１２を介して、吸気口カバー９のグリル部６の開口部１３上方の範囲以外の正面平面部に設けられた複数の貫通穴１０から吸気された空気が制御回路８の発熱部品を冷却し、冷却した空気は排気口１１から本体１外へ排出される（図１矢印）。
【００２０】
冷却手段７の駆動中は、吸気口カバー９がフィルターの役割をし、空気中の埃などが本体１内に侵入するのを防ぐが、吸気口カバー９の貫通穴１０はグリル部６の開口部１３上方の範囲以外の正面平面部にしか設けられていないいため、グリル部６の開口部１３上方の範囲には埃がほとんど付着しないこととなる。また、グリル部６で調理中には、グリル部６の扉閉時においてもグリル部６上方の周囲温度は高く、その熱によって暖められた空気を本体１内に吸い込むことを低減でき、更に、扉開時には庫内から発生する水蒸気や油煙を含む熱風を本体１内に吸い込むことも低減できる。
【００２１】
以上のように、本実施の形態においては、フィルターの役割をする吸気口カバーの貫通穴１０をグリル部６の開口部１３上方の範囲以外に設けることにより、グリル部６の開口部１３上方の範囲からは空気を吸気せず、グリル部６の開口部１３上方の範囲に埃などが付着しにくく、グリル部６の庫内や調理物に埃などが落下し付着するのを防ぐことができる。また、グリル部６で調理中には、グリル部６の扉閉時においてもグリル部６上方の周囲温度は高く、その熱によって暖められた空気を本体１内に吸い込むことが低減でき、更に、扉開時には庫内から発生する水蒸気や油煙を含む熱風を本体１内に吸い込むことも低減でき、熱風による冷却性能の低下や、水蒸気や油煙による電気的な故障や劣化を防ぐこ
とができる。
【００２２】
（実施の形態２）
図４は、本実施の第２の実施の形態における、加熱調理器に備えた吸気口カバー９の複数の実施例を示す正面図および断面図である。
【００２３】
冷却手段７による本体１内への吸気は、図１の矢印で示す経路と同様であり、図４（ａ）の貫通穴４０、図４（ｂ）の貫通穴４１、図４（ｃ）の隙間４２を介して行う。
【００２４】
図４（ａ）は、コ字状の吸気口カバー９の正面から上下の面にかけて貫通穴４０を設けたことにより、実施の形態１に比べ吸気面積が増え、冷却性能を確保することができる。
【００２５】
図４（ｂ）は、図４（ａ）の貫通穴４０をグリル部６の開口部１３上方の範囲には設けないことに代えて、グリル部６の開口部１３上方の範囲に開口率を小さくした貫通穴４１を設けたことにより、吸気面積を確保しつつ、開口率が小さい箇所では風量が少ないため、埃などの付着率も低減され、グリル部６の庫内や調理物に埃などが落下し付着するのを低減できる。また、グリル部６で調理中には、グリル部６の扉閉時においてもグリル部６上方の周囲温度は高く、その熱によって暖められた空気を本体１内に吸い込むことが低減でき、更に、扉開時には庫内から発生する水蒸気や油煙を含む熱風を本体１内に吸い込むことも低減でき、熱風による冷却性能の低下や、水蒸気や油煙による電気的な故障や劣化を防ぐことができる。
【００２６】
図４（ｃ）は、吸気口カバー９を分割し、操作部側の吸気口１２の範囲の埃などの付着が多い箇所のみ取外せるようにすることにより、軽量かつコンパクトになり、清掃性を向上させることができる。また、分割箇所、隙間４２をグリル部６の開口部１３上方の範囲以外に設けたことにより、分割部の合わせ面の隙間４２に堆積する埃などによるグリル部６の庫内やグリル部庫内の調理物への汚れを防ぐことができる。また、グリルによる調理中はグリル部の扉閉時においてもグリル部上方の周囲温度は高く、分割箇所、隙間４２をグリル部６の開口部１３上方の範囲以外に設けたことにより、その熱によって暖められた空気を分割部の合わせ面の隙間４２から吸い込むことが低減でき、更に、扉開時には庫内から発生する水蒸気や油煙を含む熱風を分割部の合わせ面の隙間４２から本体１内に吸い込むことも低減でき、熱風による冷却性能の低下や、水蒸気や油煙による電気的な故障や劣化を低減することができる。
【００２７】
上記の内容も含めて、符号と名称が実施の形態１と同じものは実施の形態１と同じ機能であるので説明を省略する。
【００２８】
以上のように構成された加熱調理器の動作は実施の形態１と同じであり省略する。上述以外の動作や操作は実施の形態１と同じ動作、作用である。
【産業上の利用可能性】
【００２９】
以上のように、本発明にかかるグリル部の開口部上方の範囲以外に貫通穴を設けた吸気口カバーを設けた加熱調理器は、グリル部の庫内や調理物に埃などが落下し付着するのを防ぐことができ、かつ、庫内から発生する水蒸気や油煙を含む熱風を本体内に吸い込むことも低減でき、熱風による冷却性能の低下や、水蒸気や油煙による電気的な故障や劣化を防ぐことができるので、家庭用、業務用の加熱調理器にも適用できる。
【図面の簡単な説明】
【００３０】
【図１】本発明の実施の形態１におけるキッチン組み込み加熱調理器の断面図
【図２】本発明の実施の形態１における加熱調理器の外観斜視図
【図３】本発明の実施の形態１におけるキッチン組み込み外観斜視図
【図４】本発明の実施の形態２における加熱調理器の吸気口カバーの実施例を示す正面図および貫通穴の断面図
【符号の説明】
【００３１】
１  本体
２  天板
３  加熱コイル
５  操作部
６  グリル部
７  冷却手段
８  制御回路
９  吸気口カバー
１０、４０、４１  貫通穴
１１  排気口
１２  吸気口
１３  開口部
１９  キッチン
３０  前垂れ
３１  凹部
４２  隙間
【図１】
2010205573.tif 000003
【図２】
2010205573.tif 000004
【図３】
2010205573.tif 000005
【図４】
2010205573.tif 000006